(57)【要約】      （修正有）【課題】自動車カバーにファッション性を取り入れると共に、自動車販売会社が戸外で自動車を展示するときでもカバーをして自動車が汚れることを防止しながら商品を顧客にアピールできるような新規な自動車カバーを提供する。【解決手段】自動車用凹凸型透明カバーは、自動車用のカバーであって、光透過率が約６５−９９％の素材から成る透明シートにより構成され、前記透明シートの自動車と対向する側の全部又は一部には、自動車との間に空気層を形成するための凹部又は凸部が形成されているものである。【選択図】図１
0003118273.tif 000002
【実用新案登録請求の範囲】
【請求項１】
自動車用のカバーであって、光透過率が約６５−９９％の素材から成る透明シートにより構成され、前記透明シートの自動車と対向する側の全部又は一部には、自動車との間に空気層を形成するための凹部又は凸部が形成されている、ことを特徴とする自動車用凹凸型透明カバー。
【請求項２】
請求項１において、前記透明シートは一つ又は複数の色が着色されている、ことを特徴とする自動車用凹凸型透明カバー。
【請求項３】
請求項１又は２において、前記透明シートには、少なくともその一部にキャラクターが表示されている、ことを特徴とする自動車用凹凸型透明カバー。
【請求項４】
請求項１から３までのいずれか一つにおいて、前記透明シートには、一つ又は複数の発光ダイオードと、前記発光ダイオードを点灯又は点滅させるための駆動部が備えられている、ことを特徴とする自動車用凹凸型透明カバー。
【請求項５】
請求項１から４までのいずれか一つにおいて、
前記透明シートには、一つ又は複数の発光ダイオードが備えられており、
前記発光ダイオードには、これを点灯又は点滅させるための駆動部が接続されており、前記駆動部には、前記透明シートの周囲の照度を検出するための照度センサからの信号に基づいて前記駆動部を制御するための制御部が接続されている、ことを特徴とする自動車用凹凸型透明カバー。
【考案の詳細な説明】
【技術分野】
【０００１】
本考案は、自動車用のカバーに関する。
【背景技術】
【０００２】
従来より、ユーザーが自動車を戸外で駐車するときは、自動車が汚れることを防止するためにカバーを取り付けることが一般に行われている。
【考案の開示】
【考案が解決しようとする課題】
【０００３】
しかしながら、従来の自動車用カバーは、いずれも灰色などの無地のもので、無味乾燥でファッション的な要素などは皆無なものがほとんどであった。また、従来はこのような自動車用カバーしか存在していなかったため、自動車販売会社においては、店舗で展示する自動車にカバーを付けたままでは顧客に商品をアピールできないので、店舗の戸外に自動車を展示する場合でもその商品にカバーを取り付けることができず、その結果、商品（自動車）が戸外で展示している間に汚れてしまうという問題があった。
【０００４】
本考案はこのような従来技術の問題点に着目してなされたものであって、自動車カバーにファッション性を取り入れると共に、自動車販売会社が戸外で自動車を展示するときでもカバーをして自動車が汚れることを防止しながらその商品性を顧客にアピールできるようにした新規な自動車カバーを提供することを目的とする。
【課題を解決するための手段】
【０００５】
以上のような課題を解決するための本考案による自動車用凹凸型透明カバーは、自動車用のカバーであって、光透過率が約６５−９９％の素材から成る透明シートにより構成され、前記透明シートの自動車と対向する側の全部又は一部には、自動車との間に空気層を形成するための凹部又は凸部が形成されている、ことを特徴とするものである。
【０００６】
また、本考案による自動車用凹凸型透明カバーにおいては、前記透明シートは一つ又は複数の色が着色されている、ことが望ましい。
【０００７】
また、本考案による自動車用凹凸型透明カバーにおいては、前記透明シートには、少なくともその一部にキャラクターが表示されている、ことが望ましい。
【０００８】
また、本考案による自動車用凹凸型透明カバーにおいては、前記透明シートには、一つ又は複数の発光ダイオードと、前記発光ダイオードを点灯又は点滅させるための駆動部が備えられている、ことが望ましい。
【０００９】
さらに、本考案による自動車用凹凸型透明カバーにおいては、前記透明シートには、一つ又は複数の発光ダイオードが備えられており、前記発光ダイオードには、これを点灯又は点滅させるための駆動部が接続されており、前記駆動部には、前記透明シートの周囲の照度を検出するための照度センサからの信号に基づいて前記駆動部を制御するための制御部が接続されている、ことが望ましい。
【考案の効果】
【００１０】
本考案においては、前述のように、光透過率が約６５−９９％の透明素材から成る透明シートにより自動車用カバーを構成しているので、自動車用カバーにファッション性を付加することができる。また、自動車販売会社は、店舗の戸外に展示している商品（自動車）にカバーをしたままでも、その商品の外観を顧客にアピールできるので、戸外に展示した商品（自動車）が汚れることを防ぐことができる。
【００１１】
また、本考案においては、前記透明シートの自動車と対向する側の全部又は一部に自動車との間に空気層を形成するための凹部又は凸部を形成するようにしたので、前記透明シートが自動車の表面に密着することを防止し、自動車からのカバーの取り外しを容易にすることができる。
【００１２】
また、本考案において、前述のように、前記透明シートに所定の色を着色したときは、そのファッション性をより高めることができる。また、本考案において、前述のように、前記透明シートに所定のキャラクタを表示するようにしたときは、そのファッション性をより高めると共に、子供たちに自動車への強い愛着を抱かせることができる。さらに、前記透明シートに発光ダイードを取り付けて点灯又は点滅させるようにしたとき、特に夜間において自動車用カバーのファッション性をより高めると共に、一般の人たちに店舗に展示してある自動車への強い興味を持たせることができる。
【考案を実施するための最良の形態】
【００１３】
本考案を実施するための最良の形態は、以下の実施例１について述べるような形態である。
【実施例１】
【００１４】
図１（ａ）（ｂ）において、１，１ａは本考案の実施例１による自動車用凹凸型透明カバーである。この自動車用凹凸型透明カバー１，１ａの形状は、従来の自動車用カバーとほぼ同一である。本実施例１による自動車用凹凸型透明カバー１，１ａは、それを構成するシートが光透過度約６５−９９％の透明素材により構成されている点に一つの特徴がある。
【００１５】
また、本実施例１による自動車用凹凸型透明カバー１，１ａは、この自動車と対向する側（内側）の面に、多数の凹部又は凸部が形成されている。この多数の凹部又は凸部により、本実施例１では、前記自動車用凹凸型透明カバー１，１ａと自動車との間に空気層が確保されようになり、その結果、前記自動車用凹凸型透明カバー１，１ａと自動車とが密着することが防止され、前記自動車用凹凸型透明カバー１，１ａを自動車から取り外すことが容易になっている。
【００１６】
図２はこのような前記自動車用凹凸型透明カバー１，１ａの内側に形成される凹部又は凸部の構造を例示した図である。図２（ａ）に示す例では、前記自動車用凹凸型透明カバー１，１ａを構成する透明樹脂製の透明シート２の内側（自動車側）の面に、多数の凸部２ａと凹部２ｂが一体的に形成されている。これにより、前記透明シート２の内側の面が自動車の表面に密着することが無くなり、カバー１，１ａが容易に取り外し可能となっている。
【００１７】
また、本実施例１の前記透明シートは、図２（ｂ）に示す例のように構成してもよい。この図２（ｂ）に示す例では、前記自動車用凹凸型透明カバー１，１ａを構成する透明樹脂製の透明シート１２が断面凹凸形状に成型されている。これにより、前記透明シート１２の内側（自動車側）の面には多数の凸部と凹部が形成されるようになっている。これにより、前記透明シート１２の内側の面が自動車の表面に密着することが無くなり、カバー１，１ａが容易に取り外し可能となっている。
【００１８】
また、本実施例１の前記透明シートは、図２（ｃ）に示す例のように構成してもよい。この図２（ｃ）に示す例では、前記自動車用凹凸型透明カバー１，１ａは、断面が平板状の第１の透明樹脂製シート２２と、自動車に近い側に配置される断面が凹凸形状に成型された第２の透明樹脂製シート２３（図２（ｂ）に示すシート１２とほぼ同じもの）とが、互いに接着・固定されることにより形成されている。これにより、この図２（ｃ）に示す例においても、自動車側のシート２３の内側（自動車側）の面には多数の凸部と凹部が形成される。よって、前記２つのシート２２，２３から成る透明カバーは、その内側の面が自動車の表面に密着することが無くなり、カバー１，１ａが容易に取り外し可能となっている。
【００１９】
また、特に図示していないが、本実施例１による前記自動車用凹凸型透明カバー１，１ａは、無色透明の素材で構成することだけでなく、ピンクやブルーなどの所定の色素を含む透明素材で構成することも可能である。このように構成した場合は、前記自動車用凹凸型透明カバー１，１ａのファッション性をより高めて、顧客満足度や顧客への商品訴求力をより高めることができる。
【００２０】
また、特に図示していないが、本実施例１による前記自動車用凹凸型透明カバー１，１ａは、その表面に、テレビ番組や漫画やアニメなどで知られるキャラクタを印刷・表示することもできる。このように構成した場合は、前記自動車用凹凸型透明カバー１，１ａのファッション性をより高めて、子供などを含む顧客の商品への満足度や顧客への商品訴求力をより高めることができる。
【実施例２】
【００２１】
また、図３は本考案の実施例２による自動車用凹凸型透明カバーを示す図である。この実施例２では、図３に示すように、前記自動車用凹凸型透明カバー１１の表面の複数箇所にそれぞれ発光ダイオード３１が備えられている。これらの発光ダイオード３１は、前記透明カバー１１の周囲の照度を検出すための照度センサ３２と、この照度センサ３２からの信号に基づいて所定の制御信号を出力するためのマイクロコンピュータ（制御回路）３３と、この制御部３３からの信号に基づいて前記発光ダイオード３１を駆動するための駆動回路３４及び電源回路３５とにより、前記周囲の照度が低い夜間だけ、所定のタイミングで点滅するように構成されている。なお、前記照度センサ３２、制御回路３３、駆動回路３４、及び電源回路３５は、図示しない小型の筐体の中に収容されて前記透明カバー１１に取り付けられている。本実施例２では、前記のように構成することにより、前記自動車用凹凸型透明カバー１１の夜間における注目度を高めることができ、顧客満足度や顧客への商品訴求力をより高めることができる。
【００２２】
以上、本考案の実施例について説明したが、本考案及び本考案を構成する各構成要件は、それぞれ、前記各実施例及びそれらを構成する各要素として述べたものに限定されるものではなく、様々な修正及び変更が可能である。例えば、前記実施例１，２ではいずれもセダン・タイプの乗用車に取り付ける透明カバーを例示したが、本考案による透明カバーはバンやトラックなどに取り付けるカバーをも含むことはもちろんである。
【図面の簡単な説明】
【００２３】
【図１】本考案の実施例１による自動車用凹凸型透明カバーを示す斜視図。
【図２】本実施例１の自動車用凹凸型透明カバーの透明シートの構造を説明するための図。
【図３】本考案の実施例２による自動車用凹凸型透明カバーを示す斜視図。
【符号の説明】
【００２４】
１，１ａ，１１ 自動車用凹凸型透明カバー
２，１２，２２，２３   透明シート
２ａ      凸部
２ｂ      凹部
３１      発光ダイオード
３２      照度センサ
３３      マイクロコンピュータ
３４      駆動回路
３５      電源回路
【図１】
0003118273.tif 000003
【図２】
0003118273.tif 000004
【図３】
0003118273.tif 000005